(57)【要約】【課題】複数の電気機器に関して、ユーザにとって有用な電力消費の状態に関する情報を提示することが可能な電力管理装置を提供する。【解決手段】電力管理装置は、複数の電気機器から電力消費に関する情報を取得する取得部と、取得した複数の電気機器の電力消費に関する情報を表示する表示部と、各電気機器に対して、少なくとも１つ以上のユーザの行動と関連付けられた行動属性情報を記憶する記憶部と、取得部を介して取得した複数の電気機器の電力消費に関する情報を表示部に表示させるプロセッサとを備える。プロセッサは、記憶部に記憶された行動属性情報毎に、対応する行動属性情報に関連付けられた電気機器の電力消費に関する情報を一括して表示させる。【選択図】図５
2013211718.tif 000002
【特許請求の範囲】
【請求項１】
複数の電気機器から電力消費に関する情報を取得する取得部と、
取得した複数の電気機器の電力消費に関する情報を表示する表示部と、
各前記電気機器に対して、少なくとも１つ以上のユーザの行動と関連付けられた行動属性情報を記憶する記憶部と、
前記取得部を介して取得した前記複数の電気機器の電力消費に関する情報を前記表示部に表示させるプロセッサとを備え、
前記プロセッサは、前記記憶部に記憶された行動属性情報毎に、対応する前記行動属性情報に関連付けられた電気機器の電力消費に関する情報を一括して表示させる、電力管理装置。
【請求項２】
前記プロセッサは、指示に応答して、前記行動属性情報に関連付けられた電気機器毎にそれぞれの電力消費に関する情報を表示させる、請求項１記載の電力管理装置。
【請求項３】
前記プロセッサは、各前記電気機器を制御する処理の指示を受け付け可能であり、
所定の指示に応答して、前記行動属性情報に関連付けられた各電気機器に対して一括して制御する指示を出力する、請求項１記載の電力管理装置。
【請求項４】
前記プロセッサは、選択指示可能に設けられた前記行動属性情報に対応する、関連付けられた電気機器の電力消費に関する情報を示すオブジェクトを表示させる、請求項１〜３のいずれかに記載の電力管理装置。
【請求項５】
前記電力管理装置は、
人の存在を検知するセンサからの出力を受付けるインタフェースを更に備え、
前記プロセッサは、
前記行動属性情報に関連付けられた各電気機器が全て動作しているか否かを判断し、
全て動作していると判断した場合に、前記センサからの出力により人が存在しているか否かを判断し、
前記センサからの出力により人が存在していると判断した場合には、前記行動属性情報に関連付けられた所定の行動を実行していると判定し、
前記所定の行動を実行していると判定した後、前記センサの出力により人が存在しないと判断した場合に、前記行動属性情報に関連付けられた各電気機器の少なくとも一部が動作しているかどうかを判断し、
少なくとも一部が動作していると判断した場合には、所定の情報を表示させる、請求項１記載の電力管理装置。
【請求項６】
複数の電気機器から電力消費に関する情報を取得するステップと、
取得した前記複数の電気機器の電力消費に関する情報を表示するステップとを備え、
各前記電気機器には、少なくとも１つ以上のユーザの行動と関連付けられた行動属性情報が予め設定され、
前記表示するステップは、前記行動属性情報毎に、対応する前記行動属性情報に関連付けられた電気機器の電力消費に関する情報を一括して表示するステップを含む、電力管理装置の制御方法。
【請求項７】
表示部を有する電力管理装置の制御プログラムであって、
複数の電気機器から電力消費に関する情報を取得するステップと、
取得した前記複数の電気機器の電力消費に関する情報を表示するステップとを備え、
各前記電気機器には、少なくとも１つ以上のユーザの行動と関連付けられた行動属性情報が予め設定され、
前記表示するステップは、前記行動属性情報毎に、対応する前記行動属性情報に関連付けられた電気機器の電力消費に関する情報を一括して表示するステップを含む、処理をコンピュータに実行させる、電力管理装置の制御プログラム。
【請求項８】
複数の電気機器と、
前記複数の電気機器を管理する電力管理装置とを備え、
前記電力管理装置は、
前記複数の電気機器から電力消費に関する情報を取得する取得部と、
取得した複数の電気機器の電力消費に関する情報を表示する表示部と、
各前記電気機器に対して、少なくとも１つ以上のユーザの行動と関連付けられた行動属性情報を記憶する記憶部と、
前記取得部を介して取得した前記複数の電気機器の電力消費に関する情報を前記表示部に表示させるプロセッサとを含み、
前記プロセッサは、前記記憶部に記憶された行動属性情報毎に、対応する前記行動属性情報に関連付けられた電気機器の電力消費に関する情報を一括して表示させる、電力管理システム。
【発明の詳細な説明】
【技術分野】
【０００１】
本発明は、少なくとも１つの電気機器における電力消費に関する電力情報を管理する電力管理装置、電力管理装置の制御方法、制御プログラムおよび電力管理システムに関する。
【背景技術】
【０００２】
近年、環境保護やエネルギー問題の観点から、家庭内で使用される電気機器（主として、家電機器）の省エネルギー（以下、「省エネ」とも称す。）意識を高める取り組みがなされている。省エネは、エネルギーを効率的に使用したり、余分なエネルギーの消費を抑えたりすることによって、エネルギーの消費量を低減しようとするものである。このような取り組みを支援するためのシステムとして、ＨＥＭＳ（Home Energy Management System：家庭内電力管理システム）が実用化されつつある。このようなＨＥＭＳを用いることで、家庭内の電力管理や電力制御をより容易に行なうことができる。
【０００３】
省エネを実現するためには、まず、電気機器での電力消費の状態を測定する必要がある。この点で、特開２０１１−１２０４２８号公報（特許文献１）に開示される電力管理システムは、分岐ブレーカ毎に電力を測定し、その結果をグループ分けして電力使用量の一覧を表示する場合が示されている。
【先行技術文献】
【特許文献】
【０００４】
【特許文献１】特開２０１１−１２０４２８号公報
【発明の概要】
【発明が解決しようとする課題】
【０００５】
しかしながら、上述の特開２０１１−１２０４２８号公報（特許文献１）に開示される電力管理システムでは、電力の測定が分岐ブレーカ毎であり、分岐ブレーカの設置状況に応じたデータの取得および表示となるため、電気機器毎等の電力消費のデータを取得して、ユーザにとって有用な電力消費の状態に関する情報を表示することができない。
【０００６】
本発明は、このような課題を解決するためになされたものであって、その目的は、複数の電気機器に関して、ユーザにとって有用な電力消費の状態に関する情報を提示することが可能な電力管理装置、電力管理装置の制御方法、制御プログラムおよび電力管理システムを提供することである。
【課題を解決するための手段】
【０００７】
本発明のある局面に従う電力管理装置は、複数の電気機器から電力消費に関する情報を取得する取得部と、取得した複数の電気機器の電力消費に関する情報を表示する表示部と、各電気機器に対して、少なくとも１つ以上のユーザの行動と関連付けられた行動属性情報を記憶する記憶部と、取得部を介して取得した複数の電気機器の電力消費に関する情報を表示部に表示させるプロセッサとを備え、プロセッサは、記憶部に記憶された行動属性情報毎に、対応する行動属性情報に関連付けられた電気機器の電力消費に関する情報を一括して表示させる。
【０００８】
好ましくは、プロセッサは、指示に応答して、行動属性情報に関連付けられた電気機器毎にそれぞれの電力消費に関する情報を表示させる。
【０００９】
好ましくは、プロセッサは、各電気機器を制御する処理の指示を受け付け可能であり、所定の指示に応答して、行動属性情報に関連付けられた各電気機器に対して一括して制御する指示を出力する。
【００１０】
好ましくは、プロセッサは、選択指示可能に設けられた行動属性情報に対応する、関連付けられた電気機器の電力消費に関する情報を示すオブジェクトを表示させる。
【００１１】
好ましくは、電力管理装置は、人の存在を検知するセンサからの出力を受付けるインタフェースを更に備え、プロセッサは、行動属性情報に関連付けられた各電気機器が全て動作しているか否かを判断し、全て動作していると判断した場合に、センサからの出力により人が存在しているか否かを判断し、センサからの出力により人が存在していると判断した場合には、行動属性情報に関連付けられた所定の行動を実行していると判定し、所定の行動を実行していると判定した後、センサの出力により人が存在しないと判断した場合に、行動属性情報に関連付けられた各電気機器の少なくとも一部が動作しているかどうかを判断し、少なくとも一部が動作していると判断した場合には、所定の情報を表示させる。
【００１２】
本発明のある局面に従う電力管理装置の制御方法は、複数の電気機器から電力消費に関する情報を取得するステップと、取得した複数の電気機器の電力消費に関する情報を表示するステップとを備え、各電気機器には、少なくとも１つ以上のユーザの行動と関連付けられた行動属性情報が予め設定され、表示するステップは、行動属性情報毎に、対応する行動属性情報に関連付けられた電気機器の電力消費に関する情報を一括して表示するステップを含む。
【００１３】
本発明のある局面に従う電力管理装置の制御プログラムは、表示部を有する電力管理装置の制御プログラムであって、複数の電気機器から電力消費に関する情報を取得するステップと、取得した複数の電気機器の電力消費に関する情報を表示するステップとを備え、各電気機器には、少なくとも１つ以上のユーザの行動と関連付けられた行動属性情報が予め設定され、表示するステップは、行動属性情報毎に、対応する行動属性情報に関連付けられた電気機器の電力消費に関する情報を一括して表示するステップを含む、処理をコンピュータに実行させる。
【００１４】
本発明のある局面に従う電力管理システムは、複数の電気機器と、複数の電気機器を管理する電力管理装置とを備える。電力管理装置は、複数の電気機器から電力消費に関する情報を取得する取得部と、取得した複数の電気機器の電力消費に関する情報を表示する表示部と、各電気機器に対して、少なくとも１つ以上のユーザの行動と関連付けられた行動属性情報を記憶する記憶部と、取得部を介して取得した複数の電気機器の電力消費に関する情報を表示部に表示させるプロセッサとを含む。プロセッサは、記憶部に記憶された行動属性情報毎に、対応する行動属性情報に関連付けられた電気機器の電力消費に関する情報を一括して表示させる。
【発明の効果】
【００１５】
複数の電気機器に関して、ユーザにとって有用な電力消費の状態に関する情報を提示する。
【図面の簡単な説明】
【００１６】
【図１】本発明の実施の形態に従う電力管理システム１の全体構成を示す模式図である。
【図２】本発明の実施の形態に従うホームコントローラ１００のハードウェア構成を示す模式図である。
【図３】本発明の実施の形態に従う測定器４００の外観図である。
【図４】本発明の実施の形態に従う測定器４００のハードウェア構成を示す模式図である。
【図５】本発明の実施の形態に従うホームコントローラ１００のディスプレイ１０３で表示される家電モニター画面について説明する図である。
【図６】本発明の実施の形態に従う電力管理オブジェクトに関する詳細画面を表示するための操作を説明する図である。
【図７】本発明の実施の形態に従う電力管理オブジェクトに関する詳細画面を説明する図である。
【図８】本発明の実施の形態に従う電力管理オブジェクトに関する一括操作画面を説明する図である。
【図９】本発明の実施の形態に従う電気機器オブジェクトに関する個別操作画面を説明する図である。
【図１０】本発明の実施の形態に従うホームコントローラ１００において提供される設定登録の操作に係るユーザインターフェイス画面の一例を示す図である（その１）。
【図１１】本発明の実施の形態に従うホームコントローラ１００において提供される設定登録の操作に係るユーザインターフェイス画面の一例を示す図である（その２）。
【図１２】本発明の実施の形態に従うホームコントローラ１００において提供される設定登録の操作に係るユーザインターフェイス画面の一例を示す図である（その３）。
【図１３】本発明の実施の形態に従うホームコントローラ１００において提供される設定登録の操作に係るユーザインターフェイス画面の一例を示す図である（その４）。
【図１４】本発明の実施の形態に従うホームコントローラ１００において提供される設定登録の操作に係るユーザインターフェイス画面の一例を示す図である（その５）。
【図１５】本発明の実施の形態に従うホームコントローラ１００において提供される電力管理オブジェクトの設定登録の操作等に係る画面の一例を示す図である（その１）。
【図１６】本発明の実施の形態に従うホームコントローラ１００において提供される電力管理オブジェクトの設定登録の操作等に係る画面の一例を示す図である（その２）。
【図１７】本発明の実施の形態に従うホームコントローラ１００において提供される電力管理オブジェクトの設定登録の操作等に係る画面の一例を示す図である（その３）。
【図１８】本発明の実施の形態に従うホームコントローラ１００において提供される電力管理オブジェクトの設定登録の操作等に係る画面の一例を示す図である（その４）。
【図１９】本発明の実施の形態に従うホームコントローラ１００において提供される電力管理オブジェクトの設定登録の操作等に係る画面の一例を示す図である（その５）。
【図２０】本発明の実施の形態に従うホームコントローラ１００において提供される電力管理オブジェクトの設定登録の操作等に係る画面の一例を示す図である（その６）。
【図２１】本発明の実施の形態に従うホームコントローラ１００において提供される電力管理オブジェクトの設定登録の操作等に係る画面の一例を示す図である（その７）。
【図２２】本発明の実施の形態に従うホームコントローラ１００において提供される電力管理オブジェクトの設定登録の操作等に係る画面の一例を示す図である（その８）。
【図２３】本発明の実施の形態に従うホームコントローラ１００において提供される電力管理オブジェクトの設定登録の操作等に係る画面の一例を示す図である（その９）。
【図２４】本発明の実施の形態に従うホームコントローラ１００において提供される電力管理オブジェクトの設定登録の操作等に係る画面の一例を示す図である（その１０）。
【図２５】本発明の実施の形態に従うホームコントローラ１００において提供される電力管理オブジェクトの設定登録の操作等に係る画面の一例を示す図である（その１１）。
【図２６】本発明の実施の形態に従うホームコントローラ１００において提供される電力管理オブジェクトの設定登録の操作等に係る画面の一例を示す図である（その１２）。
【図２７】本発明の実施の形態に従うホームコントローラ１００において提供される電力管理オブジェクトの設定登録の操作等に係る画面の一例を示す図である（その１３）。
【図２８】各電気機器と、行動属性とが対応付けられた行動リストを説明する図である。
【図２９】本発明の実施の形態に従うホームコントローラ１００の表示処理を説明するメインフロー図である。
【図３０】本発明の実施の形態に従う管理画面の表示処理について説明するフロー図である。
【図３１】本発明の実施の形態に従う家電モニター画面の表示処理を説明するフロー図である。
【図３２】本発明の実施の形態に従うオブジェクト選択処理について説明するフロー図である。
【図３３】本発明の実施の形態の変形例に従う本発明の実施の形態に従う電力管理システム１＃の全体構成を示す模式図である。
【図３４】本発明の実施の形態に従う人感センサ等を用いた表示制御を実行するフロー図である。
【図３５】本発明の実施の形態に従う消し忘れ通知の表示を説明する図である。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
＜電力管理システムの構成＞
本実施の形態に従う電力管理システムは、電力管理装置を含み、電力管理装置は、少なくとも１つの電気機器における電力消費に関する電力情報を管理する。なお、太陽光発電装置や燃料電池などを管理対象としてもよく、この場合には、本実施の形態に従う電力管理システムは、電力消費に関するに加えて、あるいは、電力消費に関するに代えて、電力発生に関する電力情報を管理してもよい。
【００１９】
本明細書において、電力情報は、対応の電気機器（電気器具）における電力消費／電力発生に係るさまざまな情報を含む概念である。
【００２０】
以下、家屋内で使用される１つまたは複数の電気機器を含む電力管理システムを一例として説明するが、本発明はこのような電力管理システムのみに適用されるものではない。すなわち、本発明は、測定器等を用いて電力消費に関する情報を測定するものであれば、どのような構成にも適用可能である。
【００２１】
本明細書において、電気機器は、外部から供給される電力によって動作する機器、および、何らかのエネルギーによって発電する機器のいずれをも含む概念である。家屋は、住宅やオフィスなどを含む。
【００２２】
図１は、本発明の実施の形態に従う電力管理システム１の全体構成を示す模式図である。
【００２３】
図１を参照して、本実施の形態に従う電力管理システム１は、住宅やオフィスなどの家屋内に設置される。より具体的には、電力管理システム１は、電力を消費する電気機器として、複数の家電機器を含む。
【００２４】
図１には、これらに限られるものではないが、家電機器として、家屋内に設置されるエアコン（空気調和機）２００Ａ、テレビジョン２００Ｂ、電子レンジ２００Ｃ、冷蔵庫２００Ｄ、および照明器具２００Ｅ、給湯機２００Ｆ（これらを「家電機器２００」とも総称する。）などが図示されている。また、電力管理システム１は、電力を発生する電気機器としての太陽光発電装置２００Ｘ、および電力の蓄電／放電を行なう蓄電池２００Ｙを含む。蓄電池２００Ｙは、住宅などに設置されるものであってもよいし、自動車用の蓄電池を住宅用の蓄電池として兼用するものであってもよい。
【００２５】
さらに、電力管理システム１は、太陽光発電装置２００Ｘ、蓄電池２００Ｙ、電力系統（電力会社が提供する商用電力など）と、分電盤３００と接続され、それぞれの電力を制御するためのパワーコンディショナ２００Ｚを含む。パワーコンディショナ２００Ｚは、太陽光発電装置２００Ｘからの発電電力、蓄電池２００Ｙとの間の充放電電力、電力系統からの購入電力を、効率の観点からバランスさせた上で、分電盤３００を介して接続された電力線４０２により各電気機器２００へ電力を供給する。なお、分電盤３００は、電力線４０２と分岐した別の経路で給湯機２００Ｆに電力を供給する。分電盤３００と給湯機２００Ｆとの間には電流センサ３０２が設けられ、当該電流センサ３０２を用いて給湯機２００Ｆに供給された電力を測定することが可能である。また、給湯機２００Ｆには、給湯機２００Ｆから排出された流量を計測するための流量センサ３０４が設けられている。この電流センサ３０２と流量センサ３０４とを用いることにより排出された流量を消費電力あるいは消費電力量に換算することが可能である。
【００２６】
さらに、電力管理システム１は、電気機器２００に関連付けられた測定器４００Ａ〜４００Ｅ、太陽光発電装置２００Ｘ、蓄電池２００Ｙ、給湯機２００Ｆおよびパワーコンディショナ２００Ｚなどを監視・制御するための電力管理装置であるホームコントローラ１００を含む。ホームコントローラ１００は、有線または無線のネットワーク４０１を介して、電気機器２００に関連付けられた測定器４００Ａ〜４００Ｅ、電流センサ３０２、流量センサ３０４、太陽光発電装置２００Ｘ、蓄電池２００Ｙ、およびパワーコンディショナ２００Ｚなどとの間でデータ通信が可能である。
【００２７】
ネットワーク４０１としては、任意のものを利用することができるが、有線のネットワークであれば、例えば、イーサネット（登録商標）、ＰＬＣ（Power Line Communications）などを用いることができる。また、無線のネットワークであれば、例えば、ＩＥＥＥ８０２．１１規格に準拠する無線ＬＡＮ（Local Area Network）、ＺｉｇＢｅｅ（登録商標）、Ｂｌｕｅｔｏｏｔｈ（登録商標）、赤外線通信方式などを用いることができる。さらに、複数の通信方式を組み合わせてもよい。
【００２８】
測定器４００は、いずれかの電気機器２００に関連付けられ、当該関連付けられた電気機器２００における電力消費に関する情報を測定するとともに、その測定情報をホームコントローラ１００へ送信する。典型的には、測定器４００としては、電力線４０２と電気機器２００のプラグとの間に配置されて電力消費の状態を測定する消費電力測定装置が用いられる。
【００２９】
なお、給湯機２００Ｆには、測定器４００に関連付けられないが、上記したように電流センサ３０２および流量センサ３０４の測定結果がホームコントローラ１００へ送信される。ホームコントローラ１００は、これらのセンサの測定結果に基づいて消費電力あるいは消費電力量に換算して、電力消費に関する情報を取得することが可能である。
【００３０】
図１に示す例では、電力線４０２に５つの測定器４００Ａ〜４００Ｅが電気的に接続されている。測定器４００Ａには、エアコン２００Ａのプラグ２５０Ａが接続されており、測定器４００Ｂには、テレビジョン２００Ｂのプラグ２５０Ｂが接続されており、測定器４００Ｃには、電子レンジ２００Ｃのプラグ２５０Ｃが接続されており、測定器４００Ｄには、冷蔵庫２００Ｄのプラグ２５０Ｄが接続されており、測定器４００Ｅには、照明器具２００Ｅのプラグ２５０Ｅが接続されている。そのため、測定器４００Ａ〜４００Ｅは、それぞれ、エアコン２００Ａ、テレビジョン２００Ｂ、電子レンジ２００Ｃ、冷蔵庫２００Ｄ、照明器具２００Ｅにおける電力消費に関する情報を測定する。
【００３１】
なお、給湯機２００Ｆについては、センサを用いて電力消費に関する情報を測定する。
ホームコントローラ１００は、各電気機器２００に関連付けられた測定器４００等からそれぞれ送信される電力消費に関する情報をハードディスク１０９に格納する。
【００３２】
ホームコントローラ１００は、電力管理システム１における電力消費／発生の状態などをユーザに提示したり、ユーザから電力管理システム１における電力管理に関する指示を受け付けたりするような、ユーザインターフェイスを提供する。
【００３３】
また、ホームコントローラ１００は、ハードディスク１０９に格納される電力消費に関する情報などに基づいて、電力消費に関するグラフ等を表示することも可能である。ホームコントローラ１００は、ポータブル型であってもよいし、テーブル上に配置されたベースに対して着脱自在であってもよいし、部屋の壁などに固定されるものであってもよい。
【００３４】
本例においては、ホームコントローラ１００が、各測定器とデータ通信してデータを取得する構成について主に説明したが、図示しないデータを収集するサーバを設けて、当該サーバが各測定器とデータ通信してデータを蓄積し、ホームコントローラ１００が当該サーバに蓄積されたデータを取得する形態の構成とすることも可能である。
【００３５】
次に、図１に示す電力管理システム１を構成する点で主要な電力管理装置であるホームコントローラ１００のハードウェア構成について説明する。
【００３６】
＜ホームコントローラ１００＞
図２は、本発明の実施の形態に従うホームコントローラ１００のハードウェア構成を示す模式図である。
【００３７】
図２を参照して、ホームコントローラ１００は、プロセッサであるＣＰＵ（Central Processing Unit）１０１と、ディスプレイ１０３およびタブレット１０４を含むタッチパネル１０２と、操作ボタン１０５と、通信インターフェイス１０６と、出力インターフェイス１０７と、入力インターフェイス１０８と、ハードディスク１０９と、メモリ１１０と、スピーカー１１１とを含む。
【００３８】
ＣＰＵ１０１は、ホームコントローラ１００における全体処理を司る処理主体であり、メモリ１１０などに予め格納されたプログラムを実行することで、後述するような各種機能を提供する。ＣＰＵ１０１は、タブレット１０４または操作ボタン１０５を入力されたユーザ操作に応答して、当該ユーザ操作によって指示された処理を実行する。このような指示としては、電気機器２００に対する運転／停止に関する指示、パワーコンディショナ２００Ｚに対する制御モードの変更に関する指示、現在または過去の電力管理状態を表示する指示などを含む。
【００３９】
タッチパネル１０２は、ユーザインターフェイスを提供する装置であり、ＣＰＵ１０１からの命令に従って各種情報をユーザに提示するとともに、ユーザから入力された指示をＣＰＵ１０１へ出力する。より具体的には、ディスプレイ１０３は、例えば、ＬＣＤ（Liquid Crystal Display）や有機ＥＬ（Electro Luminescence）ディスプレイなどからなり、その表示面に画像を表示する。タブレット１０４は、ユーザの指などによるタッチ操作を検出して、そのタッチ操作がなされた位置を示す座標値などをＣＰＵ１０１へ出力する。本実施の形態においては、ディスプレイ１０３の表示面に対応付けてタブレット１０４が設けられている。但し、ホームコントローラ１００は、必ずしもタッチパネルを含む必要はなく、ユーザに対して、各種情報を提示できればよい。
【００４０】
操作ボタン１０５は、ユーザ操作を受け付けるための入力手段であり、典型的には、ホームコントローラ１００の表面に１つまたは複数が配置される。典型的に、操作ボタン１０５は、決定ボタン、戻りボタン、方向ボタン、テンキーなどの複数のボタンやキーを含む。操作ボタン１０５は、ユーザ操作を受け付けると、そのユーザ操作を示す情報をＣＰＵ１０１へ出力する。
【００４１】
通信インターフェイス１０６は、ＣＰＵ１０１からの命令に従って、測定器４００、太陽光発電装置２００Ｘ、蓄電池２００Ｙ、およびパワーコンディショナ２００Ｚなどとの間でデータ通信を行なう。より具体的には、通信インターフェイス１０６は、上述したような、イーサネット（登録商標）、ＰＬＣ（Power Line Communications）、ＩＥＥＥ８０２．１１規格に準拠する無線ＬＡＮ（Local Area Network）、ＺｉｇＢｅｅ（登録商標）、Ｂｌｕｅｔｏｏｔｈ（登録商標）、赤外線通信方式などを利用する。
【００４２】
出力インターフェイス１０７は、ＣＰＵ１０１とディスプレイ１０３との間の内部コマンドの遣り取りを仲介する。入力インターフェイス１０８は、タブレット１０４および／または操作ボタン１０５とＣＰＵ１０１との間の内部コマンドの遣り取りを仲介する。
【００４３】
ハードディスク１０９は、ホームコントローラ１００での情報処理に必要な各種データを格納する。この各種データの詳細については、後述する。
【００４４】
メモリ１１０は、揮発性記憶装置であるＲＡＭ（Random Access Memory）や、不揮発性記憶装置であるＲＯＭ（Read-Only Memory）などによって実現され、ＣＰＵ１０１によって実行されるプログラムや、ＣＰＵ１０１によるプログラムの実行に必要なワークデータを格納する。
【００４５】
スピーカー１１１は、音声デバイスであり、ＣＰＵ１０１からの命令に従って音声を出力する。時計１１２は、計時手段であり、ＣＰＵ１０１からの命令に従って、現在の日付や時刻をＣＰＵ１０１へ応答する。
【００４６】
なお、ハードディスク１０９および／またはメモリ１１０は、通信インターフェイスを介して接続される記憶媒体を用いて実現してもよい。このような記憶媒体としては、フラッシュメモリ、マスクＲＯＭ、ＥＰＲＯＭ（Electronically Programmable Read-Only Memory）、ＥＥＰＲＯＭ（Electronically Erasable Programmable Read-Only Memory）、ＩＣ（Integrated Circuit）カードなどの半導体記憶媒体、ＣＤ−ＲＯＭ（Compact Disc-Read Only Memory）やＤＶＤ−ＲＯＭ（Digital Versatile Disk-Read Only Memory）などの光学ディスク記憶媒体、ＭＯ（Magnetic Optical Disc）やＭＤ（Mini Disc）などの光磁気ディスク記憶媒体、ＦＤ（Flexible Disk）、磁気テープ、カセットテープなどの磁気記憶媒体を用いることができる。
【００４７】
ホームコントローラ１００における情報処理は、ＣＰＵ１０１が周辺のハードウェアコンポーネントと連係してプログラムを実行することで実現される。一般的には、このようなプログラムは、メモリ１１０などに予めインストールされる。
【００４８】
このようなプログラムは、任意の記憶媒体に格納されて流通することで提供されうる。あるいは、このようなプログラムは、インターネットなどに接続されているサーバ装置（または、他の装置）からのダウンロードによって提供されうる。すなわち、記憶媒体から格納されているプログラムが読み出されて、または、サーバ装置からダウンロードによりプログラムが取得されて、メモリ１１０などに一旦格納される。そして、ＣＰＵ１０１は、メモリ１１０に格納されたプログラムを実行可能な形式に展開した上で、当該プログラムを実行する。このようなプログラムを格納する記憶媒体としては、フラッシュメモリ、マスクＲＯＭ、ＥＰＲＯＭ、ＥＥＰＲＯＭ、ＩＣカードなどの半導体記憶媒体、ＣＤ−ＲＯＭやＤＶＤ−ＲＯＭなどの光学ディスク記憶媒体、ＭＯやＭＤなどの光磁気ディスク記憶媒体、ＦＤ、磁気テープ、カセットテープなどの磁気記憶媒体を用いることができる。
【００４９】
さらに、メモリ１１０などに予めプログラムをインストールするのではなく、別のシステムまたは装置に格納されているプログラムをＣＰＵ１０１が読み出して実行するようにしてもよい。
【００５０】
さらに、記憶媒体などから読み出されたプログラムが、コンピュータに装着された機能拡張ボードや機能拡張ユニットに搭載されるメモリなどに書き込まれた後、当該プログラムに従って、当該機能拡張ボードや機能拡張ユニットに搭載される演算部（ＣＰＵなど）が必要な処理の全部または一部を行なうことで、本実施の形態に従う機能を実現するようにしてもよい。
【００５１】
さらに、ＣＰＵ１０１がプログラムを実行することにより本実施の形態に従うすべての機能を実現するだけでなく、プログラムに従って、コンピュータ上で実行されているＯＳ（オペレーティングシステム）などが必要な処理の全部または一部を行なうことで、本実施の形態に従う機能を実現するようにしてもよい。
【００５２】
上述のようなソフトウェアによって本実施の形態に従う機能を実現する場合には、記憶媒体などから読み出されたプログラム自体、または、当該プログラムを格納した記憶媒体が本発明の一形態を構成することになる。
【００５３】
なお、本明細書において、プログラムは、ＣＰＵ１０１により直接的に実行可能なプログラムだけではなく、ソースプログラム形式のプログラム、圧縮処理されたプログラム、および暗号化されたプログラムを含む。
【００５４】
＜測定器４００＞
図３は、本発明の実施の形態に従う測定器４００の外観図である。ここで、図３（ａ）には、測定器４００のソケット４００１を含む斜視図を示し、図３（ｂ）には、測定器４００の側面図を示し、図３（ｃ）には、測定器４００のプラグ４００２を含む斜視図を示す。
【００５５】
図３（ａ）〜図３（ｃ）を参照して、測定器４００は、電力線４０２を流れる電力を供給するためのソケットと電気機器２００のプラグとの間に介挿されるように配置される。より具体的には、図３（ａ）を参照して、測定器４００の表面４０５１には、プラグ差込用のソケット４００１が設けられている。一方、図３（ｂ）および図３（ｃ）を参照して、測定器４００の表面４０５１とは反対側の面である表面４０５３には、プラグ４００２が設けられている。ソケット４００１には、電気機器２００のプラグが差し込まれるとともに、プラグ４００２は、家屋内に設けられる電力線４０２を介して電力を供給するためのソケット（コンセント／アウトレット）に差し込まれる。
【００５６】
なお、測定器４００は、なるべく薄い方が好ましいので、側面４０５２の厚さは可能な限り小さく設計される。
【００５７】
測定器４００の表面４０５１には、さらに、ＬＥＤ４０４１および設定ボタン４０４２が設けられている。ＬＥＤ４０４１は、測定器４００におけるデータ処理状態を表示する。より具体的には、ＬＥＤ４０４１は、データ処理状態に応じて、点灯の有無、点滅の有無／周期、発光色などを異ならせる。設定ボタン４０４２は、ユーザ操作を受け付けるための入力手段であり、ユーザによって操作されると、測定器４００における初期設定などが開始される。
【００５８】
図４は、本発明の実施の形態に従う測定器４００のハードウェア構成を示す模式図である。
【００５９】
図４を参照して、測定器４００は、ソケット４００１、プラグ４００２、ＬＥＤ４０４１、および設定ボタン４０４２に加えて、ソケット４００１とプラグ４００２とを電気的に接続する一対の主配線４００４および４００５と、主配線４００５に挿入されたシャント抵抗４００３と、電源部４００７と、電力検出部４０１０と、通信モジュール４０２０と、アンテナ４０３０とを含む。
【００６０】
電力検出部４０１０は、プラグ４００２からソケット４００１へ流れる電力を検出する。より具体的には、電力検出部４０１０は、電圧入力ＡＤＣ（Analog to Digital Converter：アナログ・デジタル変換器）４０１１と、電流入力ＡＤＣ４０１２と、乗算器４０１３と、デジタル／周波数変換部４０１４とを含む。
【００６１】
電圧入力ＡＤＣ４０１１は、配線Ｖ１ＰおよびＶ１Ｎを介して、主配線４００４および４００５にそれぞれ接続される。電圧入力ＡＤＣ４０１１は、主配線間に生じる電圧（電位差）を示すデジタル信号を乗算器４０１３へ出力する。
【００６２】
電流入力ＡＤＣ４０１２は、配線Ｖ２ＰおよびＶ２Ｎを介して、主配線４００５に挿入されたシャント抵抗４００３の両端と電気的に接続される。シャント抵抗４００３は、流れる電流値を測定するために使われる微小な（数百マイクロΩ）抵抗である。電流入力ＡＤＣ４０１２は、シャント抵抗４００３に流れる電流の電流値を示すデジタル信号を乗算器４０１３へ出力する。
【００６３】
乗算器４０１３は、電圧入力ＡＤＣ４０１１からのデジタル信号（電圧値）と、電流入力ＡＤＣ４０１２からのデジタル信号（電流値）とを乗算し、その結果得られた値（消費電力／単位：ＷまたはｋＷ）を示すデジタル信号をデジタル／周波数変換部４０１４へ出力する。
【００６４】
デジタル／周波数変換部４０１４は、乗算器４０１３からのデジタル信号を周波数信号に変換し、その結果得られた周波数信号を通信モジュール４０２０へ出力する。
【００６５】
電源部４００７は、測定器４００の各コンポーネントに電力を供給する。電源部４００７は、主配線４００４および４００５に接続され、プラグ４００２からソケット４００１へ流れる電力の一部を測定器４００の動作用の電力として利用する。電源部４００７は、交流電力を直流電力に変換した後、その直流電力を電力検出部４０１０および通信モジュール４０２０へ供給する。
【００６６】
通信モジュール４０２０は、電力検出部４０１０により算出されたソケット４００１に接続されている電気機器における消費電力を示す無線信号を、アンテナ４０３０を介して送出する。より具体的には、通信モジュール４０２０は、ＣＰＵ４０２１と、ＲＯＭ４０２２と、ＲＡＭ４０２３と、ＧＰＩＯ（General Purpose Input/Output）４０２４と、無線ＲＦ（Radio Frequency）部４０２５とを含む。
【００６７】
ＧＰＩＯ４０２４は、デジタル／周波数変換部４０１４から入力された周波数信号を受信し、その周波数信号の情報をＣＰＵ４０２１へ出力する。
【００６８】
ＣＰＵ４０２１は、ＧＰＩＯ４０２４からの周波数信号の情報を所定のロジックに従ってデータ変換し、その結果を無線ＲＦ部４０２５へ出力する。無線ＲＦ部４０２５は、ＣＰＵ４０２１からのデータ変換結果に基づいて搬送波を変調することで、無線信号を生成する。無線ＲＦ部４０２５で生成された無線信号は、アンテナ４０３０を介して、送信される。
【００６９】
ＣＰＵ４０２１は、ＲＯＭ４０２２に予め格納されているプログラムを実行することで、上述のような処理を実現する。ＲＡＭ４０２３は、ＣＰＵ４０２１によるプログラムの実行に必要なワークデータを格納する。
【００７０】
＜測定情報＞
測定器４００は、基本的には接続されている電気機器で消費される消費電力（単位：ＷまたはｋＷ））を測定する。この消費電力を所定時間に亘って積算することで、当該電気機器の消費電力量（単位：ＷｈまたはｋＷｈ）が算出される。
【００７１】
ホームコントローラ１００は、それぞれの電気機器における消費電力および消費電力量のいずれをも表示することが可能である。さらに、複数の電気機器をグルーピング化して、そのグループ全体についての消費電力および消費電力量を表示する。
【００７２】
そのため、測定器４００から送信される対応する電気機器２００についての測定情報の実装例としては、例えば、以下のようになる（但し、以下の例に限られるものではない）。
【００７３】
（１）  測定器４００が電気機器２００における消費電力を所定周期ごと（例えば、１秒ごと）に測定し、当該測定周期と同じ送信周期で、その測定された消費電力を測定情報として送信する。
【００７４】
（２）  測定器４００が電気機器２００における消費電力を所定周期ごと（例えば、１秒ごと）に測定し、当該測定周期よりは長い送信周期で、前回の送信から今回の送信までの間に測定された複数の消費電力を測定情報として送信する。
【００７５】
（３）  測定器４００が電気機器２００における消費電力を所定周期ごと（例えば、１秒ごと）に測定し、当該測定周期よりは長い送信周期で、前回の送信から今回の送信までの間に測定された複数の消費電力を平均して得られた平均消費電力を測定情報として送信する。
【００７６】
（４）  （２）または（３）において、前回の送信から今回の送信までの間に測定された複数の消費電力を積算した消費電力量を測定情報に付加した上で送信する。さらに、複数の消費電力の平均値・最小値・最大値などを付加してもよい。
【００７７】
測定情報には、測定器４００が何らかの手段で取得した時刻情報を付加してもよいが、一般的には、ホームコントローラ１００が測定情報を受信すると、そのときの時刻を時計１１２より取得し、受信した測定情報と関連付けてハードディスク１０９に格納する。
【００７８】
ホームコントローラ１００と測定器４００との間での測定情報の遣り取りについては、任意のプロトコルを採用することができる。典型的には、測定器４００が自身の測定した測定結果を含むパケットをブロードキャストし、ホームコントローラ１００がこのパケットを受信する構成が採用される。但し、ホームコントローラ１００がそれぞれの測定器４００に対して定期的にポーリングするようにしてもよい。
【００７９】
＜家電モニター画面＞
図５は、本発明の実施の形態に従うホームコントローラ１００のディスプレイ１０３で表示される家電モニター画面について説明する図である。
【００８０】
図５を参照して、ここでは、家電モニター画面５００において、複数の電気機器について行動別に分類して、行動毎に、当該行動に属する電気機器の電力消費に関する情報をオブジェクト表示した画面が示されている。当該電気機器の電力消費に関する情報は、対応する測定器４００等で測定した測定情報に基づくものである。
【００８１】
本例において、タッチパネル１０２上に複数の行動にそれぞれ関連付けられた複数の電力管理オブジェクトが表示されており、一例として、選択可能に設けられた４個の電力管理オブジェクト５０２〜５０８が設けられている場合が示されている。
【００８２】
また、所定の行動にそれぞれ関連付けられた電力管理オブジェクトを表示するための「行動別」ボタン５２２が設けられ、選択されている場合が示されている。
【００８３】
また、本例においては、電力管理オブジェクトに電気機器を登録するための設定画面を提供するための「家電登録」ボタン５２０が設けられている。また、測定器と電気機器とを対応付けるための設定ボタン５２４が設けられている。
【００８４】
それぞれの電力管理オブジェクトには、一例として、登録された行動に属する電気機器の電力消費に関する情報が示されており、電気機器群の合計の消費電力の値が示されている。なお、当該表示は、消費電力の値に限られるものではなく、例えば、電気機器群の合計の消費電力量（ＷｈまたはｋＷｈ）の値であっても良いし、ともに表示してもよく、電力消費に関する情報であればどのようなものであっても良い。
【００８５】
電力管理オブジェクト５０２内には、「ビデオを観る」の行動に属する登録された電気機器が示されている。本例においては、一例として「ビデオを観る」の行動に属する「テレビ」、「レコーダー」、「スピーカー」、「照明」の４個の電気機器が登録されている場合が示されている。そして、それぞれの電気機器に対応付けられた測定器等の測定情報に基づいて、電力消費に関する情報として、合計の消費電力○○Ｗが表示されている。
【００８６】
なお、数値に限られず、棒グラフにより消費電力の値を直感的に把握するようにして、他の電力管理オブジェクトとも容易に比較することも可能である。
【００８７】
電力管理オブジェクト５０４内には、「調べ物をする」の行動に属する電気機器が示されている。本例においては、一例として「調べ物をする」の行動に属する「エアコン」、「パソコン」の２個の電気機器が登録されている場合が示されている。そして、それぞれの電気機器に対応付けられた測定器等の測定情報に基づいて、電力消費に関する情報として、合計の消費電力○○Ｗが表示されている。
【００８８】
電力管理オブジェクト５０６内には、「寝る」の行動に属する電気機器が示されている。本例においては、一例として、「寝る」の行動に属する「加湿器」、「電気毛布」の２個の電気機器が登録されている場合が示されている。そして、当該測定器等の測定情報に基づいて、電力消費に関する情報として、合計の消費電力○○Ｗが表示されている。
【００８９】
また、ここでは、何も電気機器が登録されていない新規作成のための電力管理オブジェクト５０８が設けられており、当該電力管理オブジェクト５０８を選択することにより後述するが新規の行動に関連付けた電力管理オブジェクトを作成することが可能である。
【００９０】
当該家電モニター画面５００における、当該電力管理オブジェクトは、それぞれ選択可能に設けられたボタンに対応しており、当該電力管理オブジェクトを選択することにより（図６）、さらに当該電力管理オブジェクトに関する詳細画面（図７）が表示される。
【００９１】
本例の如く、ユーザの所定の行動に関連付けられた電力管理オブジェクトが表示され、それぞれの行動別に設けられた電力管理オブジェクトに属する電気機器の電力消費に関する情報が一括して表示されることによりユーザが取る行動に対する電力消費の状態を一見して把握することが可能であり、有用な電力消費の状態に関する情報を提供することが可能である。
【００９２】
＜詳細画面＞
図６は、本発明の実施の形態に従う電力管理オブジェクトに関する詳細画面を表示するための操作を説明する図である。
【００９３】
図６に示されるように、それぞれの電力管理オブジェクト５０２〜５０８は、選択可能に設けられている。本例においては、電力管理オブジェクト５０２を選択（タップ）する場合が示されている。
【００９４】
図７は、本発明の実施の形態に従う電力管理オブジェクトに関する詳細画面を説明する図である。
【００９５】
図７を参照して、ここでは、本発明の実施の形態に従う電力管理オブジェクトに関する詳細画面５１０の一例が示されており、図６の家電モニター画面５００において、電力管理オブジェクト５０２を選択した場合が示されている。
【００９６】
詳細画面５１０において、ここでは、電気機器オブジェクト５１２〜５１６が設けられている場合が示されている。
【００９７】
具体的には、電力管理オブジェクト５０２内の「ビデオを観る」の行動に属する電気機器群のそれぞれの電力消費に関する情報が展開されて、電気機器毎の電力消費に関する情報、すなわち、消費電力が示されている。なお、当該表示は、消費電力の値に限られるものではなく、例えば、電気機器の消費電力量（ＷｈまたはｋＷｈ）の値であっても良いし、消費電力とともに表示してもよく、電力消費に関する情報であればどのようなものであっても良い。また、さらに電気機器の動作状況や設定状況、使用状況などといった電気機器に関する情報であればどのようなものが表示されても良い。
【００９８】
当該画面において、本例においては、電気機器オブジェクト５１２は、電気機器「テレビ」に対応しており、測定器の測定情報に基づいて、電力消費に関する情報として、消費電力○○Ｗが表示されている。
【００９９】
また、電気機器オブジェクト５１４は、電気機器「レコーダー」に対応しており、電力消費に関する情報として、消費電力○○Ｗが表示されている。
【０１００】
また、電気機器オブジェクト５１６は、電気機器「スピーカー」に対応しており、電力消費に関する情報として、消費電力○○Ｗが表示されている。
【０１０１】
また、電気機器オブジェクト５１８は、電気機器「照明」に対応しており、電力消費に関する情報として、消費電力○○Ｗが表示されている。
【０１０２】
当該情報に従って、詳細画面において、当該電力管理オブジェクトに属する各電気機器の電力消費に関する情報、すなわち、消費電力に関する情報を容易に確認することができ、節電を促すことが可能となる。
【０１０３】
＜一括操作画面＞
図８は、本発明の実施の形態に従う電力管理オブジェクトに関する一括操作画面を説明する図である。
【０１０４】
図８を参照して、ここでは、電力管理オブジェクト５０２をロングタッチ（長押し）した場合が示されている。当該操作に従って、電気機器を一括操作するためのダイアログ画面５４０が表示される。
【０１０５】
本例においては、ダイアログ画面５４０には、「電源を入れる／電源を切る」操作指示、「モード切替」操作指示、「キャンセル」操作指示が選択可能に設けられている。
【０１０６】
一括操作画面であるダイアログ画面５４０の操作指示を選択することにより、電力管理オブジェクト５０２に属する登録された電気機器を一括して操作する制御を実行することが可能である。
【０１０７】
具体的には、「電源を入れる／電源を切る」操作指示を選択した場合には、登録された電気機器について、一括して電源を入れるあるいは、切る制御指示がホームコントローラ１００から出力される。これにより登録された電気機器の電源を一括して制御することが可能である。
【０１０８】
また、「モード切替」操作指示をした場合には、たとえば、通常モードと、省電力モード等を切り替える制御指示が出力される。これにより登録された電気機器の電力モードを一括して制御することが可能である。
【０１０９】
また、「キャンセル」操作指示をした場合には、当該ダイアログ画面５４０の表示が終了する。
【０１１０】
行動別の電力管理オブジェクトにそれぞれ登録された電気機器を一括して制御することによりユーザの行動に応じた制御を容易に実行することが可能であるため利便性が高い。
【０１１１】
＜個別操作画面＞
図９は、本発明の実施の形態に従う電気機器オブジェクトに関する個別操作画面を説明する図である。
【０１１２】
図９を参照して、ここでは、電力管理オブジェクトに関する詳細画面５５０において電気機器オブジェクト５１２をロングタッチ（長押し）した場合が示されている。当該操作に従って、電気機器を個別操作するためのダイアログ画面５６０が表示される。
【０１１３】
本例においては、ダイアログ画面５６０には、「電源を入れる／電源を切る」操作指示、「モード切替」操作指示、「キャンセル」操作指示が選択可能に設けられている。
【０１１４】
個別操作画面であるダイアログ画面５６０の操作指示を選択することにより、電気機器オブジェクト５１２に対応付けられている電気機器を操作する制御を実行することが可能である。
【０１１５】
具体的には、「電源を入れる／電源を切る」操作指示を選択した場合には、対応付けられている電気機器について、電源を入れるあるいは、切る制御指示がホームコントローラ１００から出力される。これにより電気機器の電源を制御することが可能である。
【０１１６】
また、「モード切替」操作指示をした場合には、たとえば、通常モードと、省電力モード等を切り替える制御指示が出力される。これにより電気機器の電力モードを制御することが可能である。
【０１１７】
また、「キャンセル」操作指示をした場合には、当該ダイアログ画面５６０の表示が終了する。
【０１１８】
個別に電気機器を制御して、自由度の高い制御も可能であり利便性が高い。
＜測定器登録操作＞
次に、測定器４００に電気機器２００を接続する際に、当該測定器に対応する電気機器を登録する場合の設定登録の操作例について説明する。
【０１１９】
本実施の形態に従うホームコントローラ１００は、各測定器４００について、関連付けられる電気機器２００の指定を受け付けるためのユーザインターフェイス画面を提供する。
【０１２０】
図１０〜図１４は、本発明の実施の形態に従うホームコントローラ１００において提供される設定登録の操作に係るユーザインターフェイス画面の一例を示す図である。
【０１２１】
ユーザがホームコントローラ１００に対して、設定登録の開始を要求すると（例えば、図５の設定ボタン５２４の選択）、図１０に示すようなユーザインターフェイス画面６５０がタッチパネル１０２上に提示される。
【０１２２】
ユーザインターフェイス画面６５０には、ホームコントローラ１００とデータ通信可能な測定器４００（図１０においては「測定器」として表示されている）が一覧表示されるとともに、各測定器４００についての識別番号（図１０に示す例では、ＭＡＣアドレス）と、関連付けられている電気機器２００およびその設置場所が表示される。当該ユーザインターフェイス画面の表示および測定器登録操作に関する処理は、一例としてＣＰＵ１０１がメモリ１１０に予め格納されているプログラムを実行することにより実現されるものである。また、ユーザインターフェイス画面６５０は、測定器について以下の設定登録の操作が完了してハードディスク１０９に格納されている測定器対応テーブル１５０に基づくものである。
【０１２３】
ユーザインターフェイス画面６５０は、入れ替えボタン６６１と、設定ボタン６６２と、削除ボタン６６３と、完了ボタン６６４とを含む。
【０１２４】
ユーザが入れ替えボタン６６１を選択すると、一覧表示されている測定器４００のうち、選択された２つの測定器４００の間で、関連付けられる電気機器２００の情報が入れ替えられる（選択するためのユーザインターフェイスについては図示していない）。そのため、２つの測定器４００の間で、互いに接続される電気機器２００を交換する場合には、より便利である。
【０１２５】
ユーザが設定ボタン６６２を選択すると、図１１〜図１４に示す一連の設定操作を行なうことができる。
【０１２６】
後述の図１１〜図１４を参照した例では、何らの電気機器２００とも関連付けられていない３番目の測定器４００に対する設定操作を行なう場合について説明する。
【０１２７】
ユーザが削除ボタン６６３を選択すると、予め選択された測定器４００に関連付けられている電気機器２００の設定情報が削除される。ユーザが完了ボタン６６４を選択すると、設定登録のモードから抜けて、家電モニター画面（図５）に戻る。
【０１２８】
図１０に示すユーザインターフェイス画面６５０において、ユーザが一覧表示される３番目の測定器４００を選択した上で、設定ボタン６６２を選択すると、図１１に示すユーザインターフェイス画面６５１へ遷移する。
【０１２９】
ユーザインターフェイス画面６５１では、選択済の測定器４００に接続される電気機器２００が設置される階の入力が要求される。図１１に示す例では、１階（１Ｆ）〜５階（５Ｆ）および屋上が選択肢として一覧表示されている。なお、一例として、当該階に関する情報に優先順位が予め設定されており、下の階が表示形式として上位となるように優先順位が設定されているものとする。なお、本例においては、属性情報として「階」に優先順位が設定されている場合について説明するが、他の属性情報に優先順位を設定しておくようにすることも可能である。
【０１３０】
例えば、ユーザが１階（１Ｆ）を選択すると、図１２に示すユーザインターフェイス画面６５２へ遷移する。
【０１３１】
ユーザインターフェイス画面６５２では、選択済の測定器４００に接続される電気機器２００が設置される部屋（エリア）の入力が要求される。図１２に示す例では、玄関、リビング、キッチン、ダイニング、書斎、子供部屋が選択肢として一覧表示されている。例えば、ユーザが子供部屋を選択すると、図１３に示すユーザインターフェイス画面６５３へ遷移する。
【０１３２】
ユーザインターフェイス画面６５３では、選択済の測定器４００に接続される電気機器２００の種別の入力が要求される。図１３に示す例では、テレビ、エアコン、照明、レコーダー、電子レンジが選択肢として一覧表示されている。例えば、ユーザが照明を選択すると、一連の設定登録操作は完了する。そして、図１４に示すように、ユーザインターフェイス画面６５４においては、一連の操作によって入力された電気機器２００についての情報が３番目の測定器４００に関連付けられたことが提示される。
【０１３３】
以上のような設定登録操作によっていずれかの測定器４００と電気機器２００との関連付けが登録されると、ホームコントローラ１００のハードディスク１０９の測定器対応テーブル１５０へ当該登録の内容が格納される。
【０１３４】
他の電気機器２００についても同様の方式に従って、設定登録される。測定器４００と電気機器２００との対応付けを変更する場合には、入れ替えの処理あるいは、上記の処理を再度やり直すことにより変更することが可能である。
【０１３５】
当該処理により電気機器２００と測定器４００との対応付け（関連付け）がなされ、当該測定器を用いて対応する電気機器の電力消費に関する情報が測定される。なお、測定器に関連付けられない電気機器については、設置した際にセンサ等と電気機器との対応付けがなされて電力消費に関する情報が測定されるものとする。
【０１３６】
＜電力管理オブジェクト登録操作＞
次に、電力管理オブジェクトに属する電気機器を登録する操作例について説明する。
【０１３７】
本実施の形態に従うホームコントローラ１００は、電力管理オブジェクトを作成するための設定画面を提供する。
【０１３８】
図１５〜図２７は、本発明の実施の形態に従うホームコントローラ１００において提供される電力管理オブジェクトの設定登録の操作等に係る画面の一例を示す図である。
【０１３９】
ユーザがホームコントローラ１００に対して、例えば、図５の「行動別」ボタン５２２を選択した場合、電力管理オブジェクトが何も作成されていない場合には、図１５に示すような電力管理オブジェクトが未設定の画面５７０がタッチパネル１０２上に提示される。
【０１４０】
画面５７０には、新規の電力管理オブジェクトを作成するための電力管理オブジェクト５７２が設けられており、当該電力管理オブジェクト５７２を選択することにより新規の行動に関連付けた電力管理オブジェクトを作成することが可能である。
【０１４１】
図１６に示されるように画面５７０において、電力管理オブジェクト５７２を選択（タップ）すると、図１７に示されるように新規の電力管理オブジェクト名を設定するための画面５８０が表示される。
【０１４２】
当該画面５８０において、ソフトウェアキーボード５８４が表示され、電力管理オブジェクト５８２の所定の入力領域に文字入力して電力管理オブジェクト名を設定することが可能となる。本例においては、一例として、ソフトウェアキーボード５８４を用いて文字入力して「ビデオを観る」の行動に関する電力管理オブジェクトを設定するものとする。
【０１４３】
図１８には、画面５９０において、「ビデオを観る」の行動に関する電力管理オブジェクト５９２が設けられて表示されるとともに、新規の電力管理オブジェクトを作成するための電力管理オブジェクト５９４が表示されている場合が示されている。
【０１４４】
図１９に示されるように、画面５９０において「家電登録」ボタン５２０を選択（タップ）すると、図２０の画面６００が表示される。
【０１４５】
図２０の画面６００において、ユーザは、「ビデオを観る」の行動に関する電力管理オブジェクト６０２に対して、一覧表示された電気機器オブジェクトを選択して登録することが可能である。具体的には、選択した電気機器オブジェクトをドラッグ＆ドロップすることにより「ビデオを観る」の行動に関する電力管理オブジェクトに登録する。ここでは、電気機器オブジェクトの一例として、「テレビ」の電気機器オブジェクトを登録する場合が示されている。
【０１４６】
なお、図２０で一覧表示されている電気機器オブジェクトは、上記で説明した測定器４００と電気機器２００との対応付けがなされたものが示されているが、給湯機等の測定器４００との対応付けがなされないものについてもセンサ等と対応付けがなされて一覧表示から選択可能であるものとする。
【０１４７】
図２１の画面６１０には、「ビデオを観る」の行動に関する電力管理オブジェクト６１２に「テレビ」の電気機器オブジェクトが登録された場合が示されている。そして、「ビデオを観る」の行動に関する電力管理オブジェクト６１２に属する電気機器の消費電力が表示されている。なお、電気機器オブジェクト６１４にも、どの行動に登録されたか、すなわち属するかが表示される。
【０１４８】
本例においては、「テレビ」の電気機器オブジェクトに「ビデオを観る」が表示されている場合が示されている。これによりユーザは、どの電気機器が行動に関する電力管理オブジェクトと関連付けられたかを容易に把握することが可能である。
【０１４９】
同様の方式に従って、図２２の画面６２０には、「ビデオを観る」の行動に関する電力管理オブジェクト６２２に「テレビ」、「レコーダー」、「スピーカー」、「照明」の４個の電気機器が登録された場合が示されている。そして、当該電力管理オブジェクトに属する電気機器群の合計の電力消費に関する情報が一括して表示される。また、各電気機器オブジェクトに、どの行動に登録されたか（関連付けられた行動名）が示されている。
【０１５０】
当該操作により、電力管理オブジェクトの設定登録を実行することが可能である。他の電力管理オブジェクトについても同様の操作により設定登録される。
【０１５１】
一方で、電力管理オブジェクトに登録した電気機器を削除する操作も可能である。
図２３の画面６１０において、「ビデオを観る」の行動に関する電力管理オブジェクト６１２に登録されている電気機器を削除する場合には、電力管理オブジェクト６１２内の電気機器を選択して、電力管理オブジェクト外にドラッグ＆ドロップすることにより削除することが可能である。本例においては、電気機器として「テレビ」が選択されて削除された場合が示されている。その場合、電力管理オブジェクトに表示されている消費電力が更新される。
【０１５２】
また、１つの電気機器オブジェクトは、１つの行動に関する電力管理オブジェクトに登録されるだけでなく複数の行動に関する電力管理オブジェクトにそれぞれ登録することも可能である。
【０１５３】
図２４の画面６３０において、各行動に関する電力管理オブジェクトに同じ電気機器が登録されている場合が示されている。
【０１５４】
具体的には、「照明」の電気機器について、「ビデオを観る」、「調べ物をする」、「寝る」の行動に関する電力管理オブジェクトにそれぞれ登録した場合が示されている。その際、消費電力は、それぞれの電力管理オブジェクトの他の電気機器と合わせた合計として加算される。なお、そのまま「照明」の消費電力をそれぞれ加算しても良いし、あるいは、３つの電力管理オブジェクトに登録される場合には、均等に分割（本例では３等分）して消費電力を加算するようにしても良い。
【０１５５】
また、ある行動に関する電力管理オブジェクトを別の行動に関する電力管理オブジェクトの一部として登録することも可能である。
【０１５６】
図２５の画面６４０に示されるように、「ビデオを観る」の行動に関する電力管理オブジェクトをドラッグ＆ドロップして「調べ物をする」の行動に関する電力管理オブジェクトに関連付けて登録する場合が示されていて、図２６の画面６６０においては、「調べ物をする」の行動に関する電力管理オブジェクト内に、「ビデオを観る」のオブジェクトが登録されている場合が示されている。
【０１５７】
すなわち、１つの包括的な行動に関する電力管理オブジェクトを設けて、個々具体的な行動に関する電力管理オブジェクトを関連付けて登録することも可能である。当該操作により行動に関してマクロ的に観察することが可能であり、節電を促すことも可能である。
【０１５８】
図２７には、「調べ物をする」の行動に関する電力管理オブジェクトの詳細画面６７０が示されている。上記したように、「調べ物をする」の行動に関する電力管理オブジェクトを選択（タップ）することによりその詳細画面が表示される。本例においては、「ビデオを観る」の行動オブジェクトと、「パソコン」の電気機器オブジェクトと、「エアコン」の電気機器オブジェクトが示されており、各消費電力が表示される。
【０１５９】
なお、「ビデオを観る」の行動オブジェクトをさらに選択（タップ）することにより当該行動オブジェクトに属する電気機器オブジェクトが表示されるものとする。
【０１６０】
図２８は、各電気機器と、行動属性とが対応付けられた行動リストを説明する図である。
【０１６１】
図２８を参照して、ここでは、「テレビ」、「レコーダー」、「スピーカー」、「照明」の４個の電気機器が示されており、それぞれが「ビデオを観る」の行動に登録された場合が示されている。具体的には、図２２の画面６２０において、「ビデオを観る」の行動に関する電力管理オブジェクトに登録されたことにより、当該行動リストが生成されることになる。
【０１６２】
なお、行動属性は、１つに限らず、複数の行動属性が登録されていても良い。たとえば、図２４における「照明」については、行動属性として、「ビデオを観る」、「調べ物をする」、「寝る」の属性情報が登録されることになる。
【０１６３】
また、行動に関する属性情報として、「ビデオを観る」、「調べ物をする」、「寝る」について説明したが、特にこれに限られず、たとえば、「ゲームをする」、「風呂に入る」、「調理をする」、「読書をする」等、種々の行動を属性情報とすることも可能である。
【０１６４】
＜ホームコントローラ１００の表示処理＞
図２９は、本発明の実施の形態に従うホームコントローラ１００の表示処理を説明するメインフロー図である。当該処理は、主にＣＰＵ１０１がメモリ１１０およびハードディスク１０９に格納されているデータに基づいてディスプレイ１０３等と協働して実行する処理である。  以下のフローについても同様である。
【０１６５】
図２９を参照して、まず、電源がＯＮしたかどうかを判断する（ステップＳ２）。具体的には、ホームコントローラ１００に設けられた図示しない電源ボタンが選択されて電源が投入されたかどうかを判断する。
【０１６６】
ステップＳ２において、電源がＯＮしたと判断した場合（ステップＳ２においてＹＥＳ）には、次に、電力消費に関する情報を取得する（ステップＳ４）。
【０１６７】
次に、管理画面の表示処理を実行する（ステップＳ６）。管理画面の表示処理の詳細については後述する。
【０１６８】
次に、操作を終了したかどうかを判断する（ステップＳ８）。ステップＳ８において、操作を終了したと判断した場合（ステップＳ８においてＹＥＳ）には、処理を終了する（エンド）。
【０１６９】
一方、ステップＳ８において、操作を終了していないと判断した場合には、ステップＳ４に戻り、上記の処理を繰り返す。例えば、操作を終了した場合として、図示しない電源ボタンを再選択した場合には、処理を終了するものとする。
【０１７０】
なお、本例においては、電源ボタンを押下した場合に自動的にメモリ１１０等に格納されたプログラムを起動実行して各種処理を実行する場合について説明するが、これに限られず、ユーザの指示によりプログラムを起動し、各種処理を実行するようにすることも可能である。以下の処理においても同様である。
【０１７１】
図３０は、本発明の実施の形態に従う管理画面の表示処理について説明するフロー図である。
【０１７２】
図３０を参照して、まず、家電モニター画面を表示する（ステップＳ１０）。具体的には、測定器からの測定情報に基づいて図５で説明した家電モニター画面を表示する。当該表示処理の詳細については、後述する。
【０１７３】
次に、電力管理オブジェクトの選択が有るかどうかを判断する（ステップＳ１２）。具体的には、図５で説明した家電モニター画面において、電力管理オブジェクトを選択したかどうかが判断される。
【０１７４】
ステップＳ１２において、電力管理オブジェクトの選択が有ると判断した場合（ステップＳ１２においてＹＥＳ）には、オブジェクトの選択に応じた処理（オブジェクト選択処理）を実行する（ステップＳ１４）。当該オブジェクト選択処理の詳細については後述する。
【０１７５】
そして、処理を終了する（リターン）。
一方、電力管理オブジェクトの選択がないと判断した場合（ステップＳ１２においてＮＯ）には、その他機能ボタンを選択したかどうかを判断する（ステップＳ１６）。
【０１７６】
ステップＳ１６において、その他機能ボタンの選択があったと判断した場合（ステップＳ１６においてＹＥＳ）には、その他機能ボタンに対応する画面を表示する（ステップＳ１８）。たとえば、図５の画面において、「部屋別」ボタン、「機器別」ボタン等の選択（タップ）が有った場合に、当該ボタンに応じた表示処理を実行する。たとえば、部屋別にまとめられた電力消費に関する情報が表示される。あるいは、「家電登録」ボタンの選択が有った場合には、図２０等で説明した電力管理オブジェクトの登録等の操作を実行することが可能である。
【０１７７】
そして、処理を終了する（リターン）。
一方、その他機能ボタンの選択がないと判断した場合（ステップＳ１６においてＮＯ）には、再び、ステップＳ１２にもどる。
【０１７８】
図３１は、本発明の実施の形態に従う家電モニター画面の表示処理を説明するフロー図である。
【０１７９】
図３１を参照して、まず、行動属性情報を確認する（ステップＳ２０）。具体的には、上記の図２８で説明した電気機器機と行動属性とが対応付けられた行動リストを参照する。
【０１８０】
次に、行動属性情報に関連付けられた電気機器を特定する（ステップＳ２２）。たとえば、図２８の例においては、「ビデオを観る」の行動属性情報に関連付けられている電気機器として「テレビ」、「レコーダー」、「スピーカー」、「照明」が登録されている。
【０１８１】
そして、次に、行動属性情報毎に電力消費に関する情報を表示する（ステップＳ２４）。具体的には、図５の画面に示されるように行動毎の電力管理オブジェクトを表示する。一例として各電力管理オブジェクト内には、当該電力管理オブジェクトに属する電気機器が表示されるとともに、当該電気機器群の合計の消費電力が一括して表示される。
【０１８２】
そして、処理を終了する（リターン）。
図３２は、本発明の実施の形態に従うオブジェクト選択処理について説明するフロー図である。
【０１８３】
図３２を参照して、長押し選択をしたかどうかを判断する（ステップＳ３０）。具体的には、電力管理オブジェクトに対して図８で説明した長押し選択（ロングタッチ）がされたかどうかを判断する。
【０１８４】
ステップＳ３０において、長押し選択をしたと判断した場合（ステップＳ３０においてＹＥＳ）には、一括操作画面を表示する（ステップＳ３２）。図８で説明したように一括操作画面としてダイアログ画面５４０が表示される。
【０１８５】
そして、次に、操作が有ったかどうかを判断する（ステップＳ３４）。ダイアログ画面５４０において、操作指示が有ったかどうかを判断する。
【０１８６】
ステップＳ３４において、操作が有ったと判断した場合（ステップＳ３４においてＹＥＳ）には、次のステップＳ３６に進み、操作に応じた制御を実行する（ステップＳ３６）。たとえば、ダイアログ画面５４０において、たとえば「電源を入れる／電源を切る」操作指示を選択した場合には、登録された電気機器について、一括して電源を入れるあるいは、切る制御指示がホームコントローラ１００から出力される。これにより登録された電気機器の電源を一括して制御することが可能である。
【０１８７】
そして、処理を終了する（リターン）。
一方、ステップＳ３０において、長押し選択をしなかった場合（ステップＳ３０においてＮＯ）には、詳細画面を表示する（ステップＳ３８）。具体的には、図６に示されるように電力管理オブジェクトが選択（タップ）された場合には、図７に示されるように当該電力管理オブジェクトに属する電気機器オブジェクトが表示される。
【０１８８】
次に、詳細画面において、長押し選択をしたかどうかを判断する（ステップＳ４０）。具体的には、図８に示されるように電気機器オブジェクトに対して図９で説明した長押し選択（ロングタッチ）がされたかどうかを判断する。
【０１８９】
ステップＳ４０において、長押し選択をしたと判断した場合（ステップＳ４０においてＹＥＳ）には、個別操作画面を表示する（ステップＳ４２）。図９で説明したように個別操作画面としてダイアログ画面５６０が表示される。
【０１９０】
そして、次に、操作が有ったかどうかを判断する（ステップＳ３４）。
そして、ステップＳ３４に進み、操作が有ったかどうかを判断し、操作が有ったと判断した場合には、操作に応じた制御を実行する（ステップＳ３６）。たとえば、ダイアログ画面５５０において、たとえば「電源を入れる／電源を切る」操作指示を選択した場合には、対応する電気機器について、電源を入れるあるいは、切る制御指示がホームコントローラ１００から出力される。これにより対応する電気機器の電源を制御することが可能である。
【０１９１】
そして、処理を終了する（リターン）。
一方、ステップＳ４０において、長押し選択でないと判断した場合（ステップＳ４０においてＮＯ）には、ステップＳ３４に進み、以降の処理は、上記したのと同様である。
【０１９２】
（その他の構成）
図３３は、本発明の実施の形態の変形例に従う本発明の実施の形態に従う電力管理システム１＃の全体構成を示す模式図である。
【０１９３】
図３３を参照して、電力管理システム１＃は、電力管理システム１と比較して、さらにホームコントローラ１００と接続される人感センサ３０８を追加した点が異なる。その他の構成については同様であるのでその詳細な説明は繰り返さない。
【０１９４】
当該電力管理システム１＃においては、カメラ３０６、人感センサ３０８からの情報に基づく制御を実行する。具体的には、ホームコントローラ１００に人感センサ３０８からの情報が入力される。具体的には、人感センサ３０８と接続されて、人感センサ３０８からの信号の入力を受け付けるインタフェースが設けられ、当該インタフェースを介してＣＰＵ１０１に対して人感センサから出力された信号が入力される。当該人感センサ３０８は、図示しないが部屋毎に設けられているものとする。
【０１９５】
図３４は、本発明の実施の形態に従う人感センサ等を用いた表示制御を実行するフロー図である。
【０１９６】
図３４を参照して、まず、行動属性に対応する家電が全てＯＮしているかどうかを判断する（ステップＳ５０）。具体的には、所定の行動に関する電力管理オブジェクトに属する電気機器が全て動作しているかどうかを判断する。動作しているか否かは、ホームコントローラ１００が全てその動作状態を把握していても良いし、消費電力の値に基づいて判断することも可能である。
【０１９７】
つぎに、センサがオンしているかどうかを判断する（ステップＳ５４）。具体的には、所定の行動に関する電力管理オブジェクトに属する電気機器が配置されている部屋の人感センサがオンしているかどうかを判断する。
【０１９８】
センサがオンしていると判断した場合（ステップＳ５４においてＹＥＳ）には、行動属性実行中と判定する（ステップＳ５６）。すなわち、当該所定の行動が実行されていると判定される。
【０１９９】
次に、センサがオフしたかどうかを判断する（ステップＳ５８）。すなわち、所定の行動に関する電力管理オブジェクトに属する電気機器が配置されている部屋の人感センサがオフしたかどうかを判断する。
【０２００】
次に、行動属性に対応する家電の少なくとも一部がＯＮしているかどうかを判断する（ステップＳ６０）。具体的には、所定の行動に関する電力管理オブジェクトに属する電気機器の一部が動作しているかどうかを判断する。動作しているか否かは、ホームコントローラ１００が全てその動作状態を把握していても良いし、消費電力の値に基づいて判断することも可能である。
【０２０１】
ステップＳ６０において、行動属性に対応する家電の少なくとも一部がＯＮしていると判断した場合、すなわち、全てＯＦＦしていないと判断した場合（ステップＳ６０においてＹＥＳ）には、ユーザとなる人が存在しないにも関わらず、電源がＯＮしている状態であると判定されて消し忘れ通知を表示する。
【０２０２】
そして、ステップＳ６０に戻る。
一方、ステップＳ６０において、行動属性に対応する家電の少なくとも一部がＯＮしていないと判断した場合、すなわち、全てＯＦＦしていると判断された場合（ステップＳ６０においてＮＯ）には、行動属性終了と判定する（ステップＳ６２）。すなわち、当該処理の行動が終了したものと判定される。そして、処理を終了する（エンド）。
【０２０３】
図３５は、本発明の実施の形態に従う消し忘れ通知の表示を説明する図である。
図３５を参照して、ホームコントローラ１００のディスプレイ１０３で画面６７０において、消し忘れ通知として「レコーダーの電源がＯＮになっています。終了されますか？」との通知表示がされている。
【０２０４】
当該表示により、ユーザは、当該消し忘れた電気機器を把握して、たとえば、当該電気機器の電源をＯＦＦするように促される。
【０２０５】
たとえば、「ＹＥＳ」のオブジェクトが表示されており、当該オブジェクトを選択することによりホームコントローラ１００から「レコーダー」に対して電源をＯＦＦする制御指示が出力されるものとする。
【０２０６】
すなわち、人感センサ３０８と協働して所定の行動が実行されているかどうかを把握し、実行されていないと判断された場合に、電源がＯＮしている電気機器を通知することにより消し忘れをユーザに通知して、利便性を高めることが可能である。
【０２０７】
なお、上記においては、ステップＳ５８においてセンサがオフしたかどうかを判断してオフとなった場合に、次のステップに進む場合について説明しているが、一時的に、部屋を出る場合も考えられるためたとえば、所定期間センサがオフとなっているかどうかを判断するようにしても良い。
【０２０８】
また、人感センサに限らず、たとえば、カメラを設けて、当該カメラで撮像した画像から人の存在の有無を検知するようにすることも可能である。
【０２０９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０２１０】
１，１＃  電力管理システム、１００  ホームコントローラ、１０１，４０２１  ＣＰＵ、１０２  タッチパネル、１０３  ディスプレイ、１０４  タブレット、１０５  操作ボタン、１０６  通信インターフェイス、１０７  出力インターフェイス、１０８  入力インターフェイス、１０９  ハードディスク、１１０  メモリ、１１１  スピーカー、１１２  時計、１５０  測定器対応テーブル、２００  電気機器、３０８  人感センサ、７００  中継器。
【図１】
2013211718.tif 000003
【図２】
2013211718.tif 000004
【図３】
2013211718.tif 000005
【図４】
2013211718.tif 000006
【図５】
2013211718.tif 000007
【図６】
2013211718.tif 000008
【図７】
2013211718.tif 000009
【図８】
2013211718.tif 000010
【図９】
2013211718.tif 000011
【図１０】
2013211718.tif 000012
【図１１】
2013211718.tif 000013
【図１２】
2013211718.tif 000014
【図１３】
2013211718.tif 000015
【図１４】
2013211718.tif 000016
【図１５】
2013211718.tif 000017
【図１６】
2013211718.tif 000018
【図１７】
2013211718.tif 000019
【図１８】
2013211718.tif 000020
【図１９】
2013211718.tif 000021
【図２０】
2013211718.tif 000022
【図２１】
2013211718.tif 000023
【図２２】
2013211718.tif 000024
【図２３】
2013211718.tif 000025
【図２４】
2013211718.tif 000026
【図２５】
2013211718.tif 000027
【図２６】
2013211718.tif 000028
【図２７】
2013211718.tif 000029
【図２８】
2013211718.tif 000030
【図２９】
2013211718.tif 000031
【図３０】
2013211718.tif 000032
【図３１】
2013211718.tif 000033
【図３２】
2013211718.tif 000034
【図３３】
2013211718.tif 000035
【図３４】
2013211718.tif 000036
【図３５】
2013211718.tif 000037